【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
転写材にトナー像を形成する画像形成装置において、
回転可能な感光体と、
前記感光体の表面を帯電する帯電部材と、
前記帯電部材によって帯電された前記感光体の表面にトナー像を現像する現像部材と、
前記画像形成装置の動作停止時間を計測する制御部であって、転写材に前記トナー像を形成する画像形成動作と、前記現像部材によって前記感光体の表面をクリーニングするクリーニング動作を実施可能に制御する制御部と、を有し、
転写材にトナー像を転写した後に前記感光体の表面に残ったトナーを前記現像部材により回収する画像形成装置において、
前記制御部は、第１の画像形成動作が終了してから、第２の画像形成動作が開始されるまでの前記動作停止時間を計測し、
前記制御部は、計測した前記動作停止時間が所定時間以上の場合、前記第２の画像形成動作を実施した後に前記クリーニング動作を実施するように制御することを特徴とする画像形成装置。
【請求項２】
前記制御部は、前記動作停止時間に応じて、前記クリーニング動作を実施する実施時間を変更することを特徴とする請求項１に記載の画像形成装置。
【請求項３】
前記制御部は、前記動作停止時間が第１の所定時間である場合、前記クリーニング動作を第１の実施時間で実施し、前記動作停止時間が前記第１の所定時間より長い第２の所定時間である場合、前記クリーニング動作を前記第１の実施時間より長い第２の実施時間で実施することを特徴とする請求項２に記載の画像形成装置。
【請求項４】
転写材を積載する積載面が前記画像形成装置の外に露出した積載部材を有し、
前記制御部は、前記積載部材から転写材を給送した場合において、前記クリーニング動作を実施するように制御することを特徴とする請求項１乃至３のいずれか一項に記載の画像形成装置。
【請求項５】
前記制御部は、前記積載部材から転写材を給送する場合において、第１の給送動作が終了してから第２の給送動作が開始されるまでの給送時間間隔を計測し、前記給送時間間隔が所定時間以上の場合に、前記第２の画像形成動作を実施した後に前記クリーニング動作を実施するように制御することを特徴とする請求項４に記載の画像形成装置。
【請求項６】
前記制御部は、前記給送時間間隔に応じて、前記クリーニング動作を実施する実施時間を変更することを特徴とする請求項５に記載の画像形成装置。
【請求項７】
前記制御部は、前記給送時間間隔が第３の所定時間を超えた場合、前記クリーニング動作を第３の実施時間で実施し、前記給送時間間隔が前記第３の所定時間より長い第４の所定時間以上の場合、前記クリーニング動作を前記第３の実施時間より長い第４の実施時間で実施するように制御することを特徴とする請求項６に記載の画像形成装置。
【請求項８】
転写材にトナー像を形成する画像形成装置において、
回転可能な感光体と、
前記感光体の表面を帯電する帯電部材と、
前記帯電部材によって帯電された前記感光体の表面にトナー像を現像する現像部材と、
前記画像形成装置の動作停止時間を計測する制御部であって、転写材に前記トナー像を形成する画像形成動作と、前記現像部材によって前記感光体の表面をクリーニングするクリーニング動作を実施可能に制御する制御部と、を有し、
転写材に前記トナー像を転写した後に前記感光体の表面に残ったトナーを前記現像部材により回収する画像形成装置において、
第１の画像形成動作が終了してから、第２の画像形成動作が開始されるまでの前記動作停止時間を計測する第１の計測部と、
転写材を積載する積載部材と、
前記積載部材の転写材の有無を検知する検知部と、
前記検知部によって転写材が有ると検知されてからの経過時間を測定する第２の計測部と、を有し、
前記制御部は、前記第１の計測部によって測定された前記動作停止時間と前記第２の計測部によって測定された前記経過時間のうち短い方の時間が所定時間以上であった場合には前記第２の画像形成動作が終了した後に前記第２の画像形成動作の次に実施される第３の画像形成動作の実施有無にかかわらず前記クリーニング動作を実施するように制御することを特徴とする画像形成装置。
【請求項９】
前記制御部は、前記短い方の時間が所定時間未満であった場合には、前記第２の画像形成動作が終了した後に前記クリーニング動作を実施しないように制御することを特徴とする請求項８に記載の画像形成装置。
【請求項１０】
転写材を積載する複数の積載部材を有し、
前記第１の計測部と前記第２の計測部と前記検知部を前記複数の積載部材ごとに有することを特徴とする請求項８又は９に記載の画像形成装置。
【請求項１１】
転写材の表裏を反転させるよう動作する反転動作手段を有し、
前記制御部は、前記クリーニング動作を実施する場合に、前記第２の画像形成動作後に行われる前記第３の画像形成動作を行う前に転写材を搬送し、搬送された転写材は前記感光体と接触させて前記反転動作手段に搬送するとともに前記クリーニング動作を実施し、前記反転動作手段で反転された転写材を再び前記感光体と接触させて前記第３の画像形成動作を行うことを特徴とする請求項８乃至１０のいずれか１項に記載の画像形成装置。
【請求項１２】
前記制御部は、前記クリーニング動作を実施する場合に、前記短い方の時間に応じたクリーニング動作の実施時間を決定し、前記実施時間の間、前記クリーニング動作を実施することを特徴とする請求項８乃至１１のいずれか一項に記載の画像形成装置。
【手続補正２】
【補正対象書類名】明細書
【補正対象項目名】００１３
【補正方法】変更
【補正の内容】
【００１３】
上記目的を達成するため、本発明は、転写材にトナー像を形成する画像形成装置において、回転可能な感光体と、前記感光体の表面を帯電する帯電部材と、前記帯電部材によって帯電された前記感光体の表面にトナー像を現像する現像部材と、前記画像形成装置の動作停止時間を計測する制御部であって、転写材に前記トナー像を形成する画像形成動作と、前記現像部材によって前記感光体の表面をクリーニングするクリーニング動作を実施可能に制御する制御部と、を有し、転写材にトナー像を転写した後に前記感光体の表面に残ったトナーを前記現像部材により回収する画像形成装置において、前記制御部は、第１の画像形成動作が終了してから、第２の画像形成動作が開始されるまでの前記動作停止時間を計測し、前記制御部は、計測した前記動作停止時間が所定時間以上の場合、前記第２の画像形成動作を実施した後に前記クリーニング動作を実施するように制御することを特徴とする。
【手続補正３】
【補正対象書類名】明細書
【補正対象項目名】００１４
【補正方法】変更
【補正の内容】
【００１４】
また上記目的を達成するため、本発明は、転写材にトナー像を形成する画像形成装置において、回転可能な感光体と、前記感光体の表面を帯電する帯電部材と、前記帯電部材によって帯電された前記感光体の表面にトナー像を現像する現像部材と、前記画像形成装置の動作停止時間を計測する制御部であって、転写材に前記トナー像を形成する画像形成動作と、前記現像部材によって前記感光体の表面をクリーニングするクリーニング動作を実施可能に制御する制御部と、を有し、転写材に前記トナー像を転写した後に前記感光体の表面に残ったトナーを前記現像部材により回収する画像形成装置において、第１の画像形成動作が終了してから、第２の画像形成動作が開始されるまでの前記動作停止時間を計測する第１の計測部と、転写材を積載する積載部材と、前記積載部材の転写材の有無を検知する検知部と、前記検知部によって転写材が有ると検知されてからの経過時間を測定する第２の計測部と、を有し、前記制御部は、前記第１の計測部によって測定された前記動作停止時間と前記第２の計測部によって測定された前記経過時間のうち短い方の時間が所定時間以上であった場合には前記第２の画像形成動作が終了した後に前記第２の画像形成動作の次に実施される第３の画像形成動作の実施有無にかかわらず前記クリーニング動作を実施するように制御することを特徴とする。